【事件の表示】
　特願２０１０−２７２７２２「波形表示装置及び方法」拒絶査定不服審判事件〔平成２３年　６月２３日出願公開、特開２０１１−１２３０７０、請求項の数（２）〕について、次のとおり審決する。
【結　論】
　原査定を取り消す。
　本願の発明は、特許すべきものとする。
【理　由】
第１　手続の経緯
　本願は、平成２２年１２月７日（パリ条約による優先権主張２００９年１２月７日（以下、「優先日」）という。）、米国）を出願日とする外国語書面出願であって、平成２３年２月４日付けで翻訳文が提出され、平成２６年１月２４日付けで拒絶理由が通知され、これに対し、平成２６年７月２８日付けで手続補正がなされたが、平成２６年９月１日付けで最後の拒絶理由が通知され、平成２７年３月９日付けで手続補正がなされたが、平成２７年８月２０日付けで、平成２７年３月９日付けの手続補正についての補正却下の決定がなされ、同日付けで拒絶査定がなされ、これに対し、平成２７年１２月２５日に拒絶査定不服審判が請求され、同時に手続補正がなされたものである。
第２　平成２７年１２月２５日付けの手続補正（以下、「本件補正」という。）の適否
１　補正の内容
（１）補正事項１（請求項１について）
　本件補正の補正事項１は、特許請求の請求項１における「関心のある時間区間を設定し、トリガ基準を設定するユーザが操作可能なインタフェース」に関連して、「上記インターフェースが上記トリガ・イベントに関する上記関心のある時間区間の幅及び位置を調整する手段を有し、」との限定を付加するものであって、本件補正前の請求項１に記載された発明と本件補正後の請求項１に記載された発明の産業上の利用分野及び解決しようとする課題が同一であるから、特許法第１７条の２第５項第２号の特許請求の範囲の減縮を目的とするものに該当する。
　また、特許法第１７条の２第３項、第４項に違反するところはない。
（２）補正事項２（請求項２について）
　本件補正の補正事項２は、特許請求の請求項２における「関心のある時間区間を設定すると共に、トリガ基準を設定するステップ」に関連して、「ユーザの入力に応じて、上記トリガ・イベントに関する上記関心のある時間区間の幅及び位置を変更する」との限定を付加するものであって、本件補正前の請求項２に記載された発明と本件補正後の請求項２に記載された発明の産業上の利用分野及び解決しようとする課題が同一であるから、特許法第１７条の２第５項第２号の特許請求の範囲の減縮を目的とするものに該当する。
　また、特許法第１７条の２第３項、第４項に違反するところはない。
　そこで、本件補正後の請求項１に記載された発明（以下、「本件補正発明１」という。）、及び本件補正後の請求項２に記載された発明（以下、「本件補正発明２」という。）が、特許法第１７条の２第６項において準用すると同法第１２６条第７項の規定に適合するか（特許出願の際独立して特許を受けることができるものであるか）について以下に検討する。
２　本件補正発明
　本件補正発明１及び本件補正発明２は、それぞれ、平成２７年１２月２５日付けの手続補正により補正された特許請求の範囲の請求項１及び請求項２に記載された事項により特定される、次のとおりのものである。
「【請求項１】
　関心のある時間区間を設定し、トリガ基準を設定するユーザが操作可能なインタフェースと、
　被測定信号を受ける入力端子と、
　上記入力端子に結合され、上記被測定信号を受けて、上記被測定信号からデジタル・データを生成するアナログ・デジタル変換回路と
　上記被測定信号の上記デジタル・データを、上記関心のある時間区間より長い時間を有する連続するデータ・レコードとして記憶する取込みメモリと、
　上記トリガ基準に基いて上記被測定信号中の複数のトリガ・イベントを検出し、上記データ・レコード内に複数それぞれのトリガ・イベント情報アイテムを生成するトリガ・ユニットと、
　上記トリガ基準に基づいて上記複数のトリガ・イベント情報アイテムをトリガ・リストとして記憶するトリガ・リスト・メモリと、
　上記トリガ・リスト・メモリ中の上記トリガ・イベント情報アイテムに基いて、上記取込みメモリ中の上記デジタル・データを特定する制御ユニットと、
　上記トリガ・イベント情報アイテムの１つにそれぞれ対応し、連続する上記データ・レコードの一部分である上記関心のある時間区間内の上記被測定信号に関する波形を複数表示する表示デバイスと
　を具え、
　上記表示デバイスが、上記取込みメモリ中の上記データ・レコードの全長に対応するバーを表示し、該バーが、上記トリガ・リスト中の上記トリガ・イベント情報アイテムに基いて、上記取込みメモリ中の上記データ・レコードの全長に対する上記トリガ・イベントの位置を更に表示すると共に、上記インターフェースが上記トリガ・イベントに関する上記関心のある時間区間の幅及び位置を調整する手段を有し、
　上記表示デバイスが、上記バーを利用して選択された複数のトリガ・イベントに関連し、上記トリガ・リスト中の上記トリガ・イベント情報アイテムに対応する上記時間区間における複数の波形から得られる合成波形を更に表示することを特徴とする波形表示装置。」
「【請求項２】
　関心のある時間区間を設定すると共に、トリガ基準を設定するステップと、
　被測定信号を受けるステップと、
　上記被測定信号をデジタル・データに変換するステップと、
　上記被測定信号の上記デジタル・データを上記関心のある時間区間より長い時間を有する連続するデータ・レコードとして記憶するステップと、
　上記トリガ基準に基づいて上記被測定信号中の複数のトリガ・イベントを検出し、上記トリガ・イベントにそれぞれ対応するトリガ・イベント情報アイテムを生成するステップと、
　上記トリガ・イベント情報アイテムをトリガ・リスト・メモリ中にトリガ・リストとして記憶するステップと、
　上記トリガ・リストに基いて上記トリガ・イベントに対応する上記取込みメモリ中の上記デジタル・データを特定するステップと、
　上記トリガ・イベント情報アイテムの１つにそれぞれ対応し、連続する上記データ・レコードの一部分である上記関心のある時間区間をそれぞれ含む上記複数のトリガ・イベントに関する波形を表示するステップと、
　上記取込みメモリ中の上記データ・レコードの全長に対応するバーを表示し、該バーが、上記トリガ・リスト中の上記トリガ・イベント情報アイテムに基いて、上記取込みメモリ中の上記データ・レコードの全長に対する上記トリガ・イベントの位置を表示すると共に、ユーザの入力に応じて、上記トリガ・イベントに関する上記関心のある時間区間の幅及び位置を変更するステップと
　を具え、
　表示される上記波形が、上記バーを利用して選択された複数のトリガ・イベントに関連し、上記トリガ・リスト中の上記トリガ・イベント情報アイテムに対応する上記時間区間における複数の波形から得られる合成波形であることを特徴とする波形表示方法。」
３　刊行物の記載事項
（引用文献１）
　原査定の拒絶理由に引用された、本願の優先日前に頒布された刊行物である、特開２００３−３４４４５４号公報（以下、「引用文献１」という。）には、図面とともに、次の事項が記載されている（下線は、当審で付与した。）。
「【請求項１】  
デジタル・ストレージ・オシロスコープ用の取込み装置であって、
被試験信号を受ける入力端子と、
該入力端子に結合され上記被試験信号を受ける入力端を有し、上記被試験信号のデジタル・サンプルを出力端に発生するアナログ・デジタル変換器と、
上記入力端子に結合され上記被試験信号を受ける入力端を有し、上記被試験信号内の第１所定トリガ・イベントに応答してトリガ信号を出力端に発生するトリガ回路と、
上記被試験信号の上記デジタル・サンプルを受ける入力端を有し、データ記録にて、上記デジタル・サンプルを蓄積する取込みメモリと、
該取込みメモリの入力端に結合された入力端を有し、実時間動作モードにて上記デジタル・サンプルを受け且つ試験し、上記デジタル・サンプル内の所定異常イベントの検出に応答してイベント検出信号を発生し、所定量の上記デジタル・サンプルを上記オシロスコープの信号処理部分に処理及び表示用に伝送する処理回路とを具え、
上記所定量が上記データ記録の全体よりも少なく、上記異常イベントに時間的に関連していることを特徴とするデジタル・ストレージ・オシロスコープ用取込み装置。
「【発明の詳細な説明】
【０００１】
【発明の属する技術分野】本発明は、一般に、デジタル（ストレージ）オシロスコープ（ＤＳＯ）に関し、特に、波形データの改良されたデジタル信号処理を提供するＤＳＯ用のアーキテクチャに関する。」
「【００２０】かかるオシロスコープのアーキテクチャを本発明に関連して図５に示す。次に、本発明を図５、６及び７を参照して説明する。図４及び図５は、取込みメモリ５５１、５５２、５５３、５５４とのプロセッサ（処理）ユニット（ＰＲＯＣ）（処理回路）５６１、５６２、５６３、５６４の接近した物理的及び論理的な関係を除いて、図４及び図５は同じである。
【００２１】図５の装置において、任意又は総てのチャネル（ＣＨ１〜ＣＨ４）を用いて、被試験信号のサンプルを供給する。チャネル１〜４からの信号は、バッファ増幅器５０１〜５０４を介して、トラック・ホールド・ユニット５１０及びトリガＡＳＩＣ（トリガ回路）５２０に供給される。トラック・ホールド・ユニット５１０の出力信号は、Ａ／Ｄ変換器５３１〜５３４を介してデマルチプレクサ（ＤＥＭＵＸ）ユニット５４１〜５４４に供給される。これらデマルチプレクサには、トリガＡＳＩＣ５２０の出力信号も供給される。この点に関して、取り込みメモリ５５１、５５２、５５３、５５４の総ては、鎖状に連結されて、単一の長い記録長のメモリを形成するが、アクティブなチャネルに対して取込みメモリを割り当ててもよい。プロセッサ・ユニット（ＰＲＯＣ）５６１、５６２、５６３、５６４は、マイクロプロセッサでもよいが、好ましくは、ＦＰＧＡ（フィールド・プログラマブル・ゲート・アレイ）である。その理由は、ＦＰＧＡは、マイクロプロセッサよりも１００倍以上（例えば、インテルのPentium（登録商標）IVよりも１００倍まで）も高速にデータを処理できるためである。
プロセッサ・ユニット５６１、５６２、５６３、５６４は、実時間動作モードにて蓄積されたデジタル・サンプルを受け且つ試験し、デジタル・サンプル内の所定イベントの検出に応答してイベント検出信号を発生し、所定イベントに関するデータを含んだメモリ記憶位置の範囲を指示するメモリ・アドレス信号を発生する。
プロセッサ・ユニット５６１、５６２、５６３、５６４は、「タイム・スタンプ」と付されたデータ出力経路も有し、バスに結合されて、処理及び表示のために伝送すべきデータのフレームを定義するタイム・スタンプを提供する点に留意されたい。
「【００２３】図６は、本発明に用いるのに適する
制御器を有するオシロスコープ用のフロント・パネル６００を示している。これらオシロスコープ制御器は、機能グループ６１０、６２０、６３０、６４０、６５０及び６５５に配置されている。
 
「【００２４】機能グループ６６０は、機能グループ６４０、６５０及び６５５と、被試験信号の波形サンプルを取り込むのにオシロスコープをどの様に制御するかという１組の制御とを含んでいる。特に、オシロスコープの表示スクリーン上に取込みメニューを表示するためのボタンが（ACQUIRE MENU）設けられている。「MODE」と記された第２ボタンは、通常モード（REGULAR）、二重モード（DUAL）、高速取込みモード（FastAcq）から選択を行う。これら説明文の各々に隣接して配置された指示器は、照明されて、どのモードが選択されたかを示す。照明された指示器は、図６では、斜線のパターンとして示す。
ユーザが２次トリガ・イベント用のポスト取込み検索（Post Acquisition Event Search）で長い記録長でデータを取り込もうとするとき、二重モード（DUAL）が選択される。このモードにおいて、主データ取込み記録長は最長に設定され、機能グループ６２０の記録長制御により、ポスト取込み記録長（フレーム・サイズ）が設定される。所定イベントの実行中の実時間検出に加えて、本発明は、ポスト取込み動作モードにおいて、取り込んだ長いデータ記録を「ループ・スルー」（全体を再度利用）できる。機能グループ６４０は、ポスト取込みイベント検索（Post Acquisition Event Search）を制御し、トリガ・イベント条件のリストを含むメニューを表示するメニュー・ボタン（MENU）を有する。
。機能グループ６４０は、長い記録長の小休止中の波形をあるイベントから次のイベントに手動でスクロールするためのスクロール摘み（SCROLL）も有する。
【００２５】
機能グループ６５５は、
異常イベントの実時間検出に用いる制御器及び指示器を含んでいる。機能グループ６５５は、予めの取込み実時間イベント検索（Pre-Acquisition Real Time Event Search）を制御し、トリガ・イベント条件のリストを含むメニューを表示するメニュー（MENU）ボタンを含んでいる。
機能グループ６５５は、パラメータ制御（PARAM. CONTR.）摘みも含んでいる。
「【００３１】図８は、本発明により提案されたスクリーン表示の例を示す図である。
デジタル・オシロスコープの表示スクリーン８００は、４つの波形８０１、８０２、８０３、８０４を表示している。各波形は、
装置により検出され、タイム・スタンプされた（時間情報が付された）異常を示している。
【００３２】この実施例において、
４つの波形が表示されているが、４つよりも多い波形にも本発明を拡張できる
プロセッサ・ユニット５６１、５６２、５６３、５６４により、予め選択した異常（即ち、イベント）に応答して、短い記録長の波形８０１、８０２、８０３、８０４を表示用に送る。
「【００３４】ポスト取込み検索動作モードにおいて、スクロール（SCROLL）摘み８７５を用い、蓄積した長い記録長のデータを再生し、スクロールできる。簡単には、波形を選択することにより（例えば、接触検知スクリーン上の波形に物理的に接触することにより）、スクロール（SCROLL）摘み８７５をその波形に論理的に関連させる。
その後、スクロール摘み８７５を回転させることにより、長い記録のデータにて、その種類のイベントが生じれば、次のイベントの表示に波形がジャンプする。
【００３５】図８に関連した本発明の装置の動作は、非常に有用であるが、
記録データ内の単一の異常の総ての発生を観察する
選択したメニュー９５１、９５２、９５３、９５４を用いて
 ア　【請求項１】より、
「デジタル・ストレージ・オシロスコープ及びその取込み装置であって、
被試験信号を受ける入力端子（CH1〜CH4）と、
該入力端子に結合され上記被試験信号を受ける入力端を有し、上記被試験信号のデジタル・サンプルを出力端に発生するアナログ・デジタル変換器（５３１〜５３４）と、
上記被試験信号の上記デジタル・サンプルを受ける入力端を有し、データ記録にて、上記デジタル・サンプルを蓄積する取込みメモリと、
該取込みメモリの入力端に結合された入力端を有し、実時間動作モードにて上記デジタル・サンプルを受け且つ試験し、上記デジタル・サンプル内の所定異常イベントの検出に応答してイベント検出信号を発生し、所定量の上記デジタル・サンプルを上記オシロスコープの信号処理部分に処理及び表示用に伝送する処理回路（５６１〜５６４）とを具え、
上記所定量が上記データ記録の全体よりも少なく、上記異常イベントに時間的に関連していることを特徴とするデジタル・ストレージ・オシロスコープ及びその取込み装置。」との技術事項を読み取ることができる（便宜のため、図中の符号を括弧内に併せて記載した。）。
イ　段落【００２３】及び【００２５】より、「オシロスコープ用のフロント・パネル６００が有する制御器は、機能グループ６１０、６２０、６３０、６４０、６５０及び６５５に配置され、機能グループ６５５は、異常イベントの実時間検出に用いる制御器及び指示器を含み、機能グループ６５５は、予めの取込み実時間イベント検索（Pre-Acquisition Real Time Event Search）を制御し、トリガ・イベント条件のリストを含むメニューを表示するメニュー（MENU）ボタンを含み、パラメータ制御（PARAM. CONTR.）摘みも含」むこと、及び、段落【００２４】より「機能グループ６４０は、ポスト取込みイベント検索（Post Acquisition Event Search）を制御し、トリガ・イベント条件のリストを含むメニューを表示するメニュー・ボタン（MENU）を有」するとの技術事項を読み取ることができる。
ウ　段落【００２４】より、「ユーザが２次トリガ・イベント用のポスト取込み検索（Post Acquisition Event Search）で長い記録長でデータを取り込もうとするとき、オシロスコープの表示スクリーン上に取込みメニューとして二重モード（DUAL）が選択され、このモードにおいて、主データ取込み記録長は最長に設定され、機能グループ６２０の記録長制御により、ポスト取込み記録長（フレーム・サイズ）が設定され、所定イベントの実行中の実時間検出に加えて、ポスト取込み動作モードにおいて、取り込んだ長いデータ記録を「ループ・スルー」（全体を再度利用）できる。」との技術事項を読み取ることができる。
エ　段落【００２０】及び【００２１】より、「プロセッサ・ユニット５６１、５６２、５６３、５６４は、実時間動作モードにて蓄積されたデジタル・サンプルを受け且つ試験し、デジタル・サンプル内の所定イベントの検出に応答してイベント検出信号を発生し、所定イベントに関するデータを含んだメモリ記憶位置の範囲を指示するメモリ・アドレス信号を発生し、処理及び表示のために伝送すべきデータのフレームを定義するタイム・スタンプを提供する。」との技術事項を読み取ることができる。
オ　段落【００３１】、【００３２】及び【００３４】より、「デジタル・オシロスコープの表示スクリーン８００は、４つの波形８０１、８０２、８０３、８０４又は４つよりも多い波形を表示するが、各波形は、装置により検出され、タイム・スタンプされた（時間情報が付された）異常を示しており、データ記録が取り込まれながら、種々の異常の検出と、メモリの対応記憶位置のタイム・スタンプとを行う動作にて、実時間でデータから異常を検出し、プロセッサ・ユニット５６１、５６２、５６３、５６４により、予め選択した異常（即ち、イベント）に応答して、短い記録長の波形８０１、８０２、８０３、８０４を表示用に送る。」との技術事項を読み取ることができる。
　
カ　段落【００３５】より、「選択したメニュー９５１、９５２、９５３、９５４を用いて、記録データ内の単一の異常の総ての発生を観察することができる。」との技術事項を読み取ることができる。
キ　引用文献１の図７、図８には、デジタル・オシロスコープの表示スクリーン８００と関連して、「ＥＶＥＮＴ　ＲＥＣＯＲＤ　ＬＥＮＧＴＨ」（８８５，９８５）と表記された「摘み」が図示されている。
　以上より、引用文献１には、次の発明（以下、「引用発明１」という。）が記載されているものと認められる。
「デジタル・ストレージ・オシロスコープ及びその取込み装置であって、
　被試験信号を受ける入力端子（CH1〜CH4）と、
該入力端子に結合され上記被試験信号を受ける入力端を有し、上記被試験信号のデジタル・サンプルを出力端に発生するアナログ・デジタル変換器（５３１〜５３４）と、
　上記被試験信号の上記デジタル・サンプルを受ける入力端を有し、データ記録にて、上記デジタル・サンプルを蓄積する取込みメモリと、
　該取込みメモリの入力端に結合された入力端を有し、実時間動作モードにて上記デジタル・サンプルを受け且つ試験し、上記デジタル・サンプル内の所定異常イベントの検出に応答してイベント検出信号を発生し、所定量の上記デジタル・サンプルを上記オシロスコープの信号処理部分に処理及び表示用に伝送する処理回路（５６１〜５６４）とを具え、
　上記所定量が上記データ記録の全体よりも少なく、上記異常イベントに時間的に関連していることを特徴とし、
　オシロスコープ用のフロント・パネル６００が有する制御器は、機能グループ６１０、６２０、６３０、６４０、６５０及び６５５に配置され、機能グループ６５５は、異常イベントの実時間検出に用いる制御器及び指示器を含み、機能グループ６５５は、予めの取込み実時間イベント検索（Pre-Acquisition Real Time Event Search）を制御し、トリガ・イベント条件のリストを含むメニューを表示するメニュー（MENU）ボタンを含み、パラメータ制御（PARAM. CONTR.）摘みも含み、
　機能グループ６４０は、ポスト取込みイベント検索（Post Acquisition Event Search）を制御し、トリガ・イベント条件のリストを含むメニューを表示するメニュー・ボタン（MENU）を有し、
　ユーザが２次トリガ・イベント用のポスト取込み検索（Post Acquisition Event Search）で長い記録長でデータを取り込もうとするとき、オシロスコープの表示スクリーン上に取込みメニューとして二重モード（DUAL）」が選択され、所定イベントの実行中の実時間検出に加えて、ポスト取込み動作モードにおいて、取り込んだ長いデータ記録を「ループ・スルー」（全体を再度利用）でき、プロセッサ・ユニット５６１、５６２、５６３、５６４は、実時間動作モードにて蓄積されたデジタル・サンプルを受け且つ試験し、デジタル・サンプル内の所定イベントの検出に応答してイベント検出信号を発生し、所定イベントに関するデータを含んだメモリ記憶位置の範囲を指示するメモリ・アドレス信号を発生し、処理及び表示のために伝送すべきデータのフレームを定義するタイム・スタンプを提供し、
　デジタル・オシロスコープの表示スクリーン８００は、４つの波形８０１、８０２、８０３、８０４又は４つよりも多い波形を表示するが、各波形は、本発明による装置により検出され、タイム・スタンプされた（時間情報が付された）異常を示しており、データ記録が取り込まれながら、種々の異常の検出と、メモリの対応記憶位置のタイム・スタンプとを行う動作にて、実時間でデータから異常を検出し、プロセッサ・ユニット５６１、５６２、５６３、５６４により、予め選択した異常（即ち、イベント）に応答して、短い記録長の波形８０１、８０２、８０３、８０４を表示用に送り、
　デジタル・オシロスコープの表示スクリーン８００と関連した、ＥＶＥＮＴ　ＲＥＣＯＲＤ　ＬＥＮＧＴＨ（８８５，９８５）摘みを有する、
　デジタル・ストレージ・オシロスコープ及びその取込み装置。」
（引用文献２）
　原査定の拒絶の理由に引用された、特開２００５−６２１０２号公報（以下、「引用文献２」という。）には、次の事項が記載されている（下線は、当審で付与した。）。
「【技術分野】
【０００１】
  
本発明は、測定波形のデジタルデータを保存し、表示するような波形測定装置に係り、
「【発明の効果】
【００１３】
  本発明によれば、入力データに対し、検索したい入力データの特徴を表わすイベント条件を設定することで、イベント条件に合致する入力データに対応させてイベント情報を設定することができるので、その後は、イベント情報を指定するのみで、対応する入力データを速やかに検索することができ、所望するデータの検索能率を大幅に高めることができる。」
「【００２９】
  図３は、これらの動作を、さらに具体的に説明するたためのもので、例えば、入力データ２として、図３（ａ）に示すような測定データＤに対して、同図（ｂ）に示すような
測定データの特徴を表わすイベント条件Ａが入力されたとすると、
測定データＤの時間軸上に沿ってイベント条件に合致する測定データＤに対するイベントマーカＭが設定され、これら測定データＤとイベントマーカＭがコントロール部１を介して表示部６に所定の様式で表示され、同時に、データ記憶部５に記憶される。
「【００３３】
  従って、このようにすれば、入力データとして記憶された測定データに対し、検索したい測定データの特徴を表わすイベント条件を入力し、イベント条件に合致した測定データが見つかると、この測定データのイベント条件に合致した箇所に、イベント情報として、イベントマーカを設定するようにしたので、
その後は、イベント情報（イベントマーカ）を指定するのみで、対応する測定データを速やかに検索することができ、所
【００３４】
  また、イベント条件を自動的または手動により入力するのみで、測定データの時間軸に沿ってイベント情報（イベントマーカ）を自動的に設定する機能を有しているので、所望するイベント情報（イベントマーカ）を能率的に設定することができ、さらに能率のよいデータ検索を実現することができる。」
「【００３６】
  なお、本発明は、上記実施の形態に限定されるものでなく、実施段階では、その要旨を変更しない範囲で種々変形することが可能である。例えば、上述した実施例では、データ記憶部５に記憶した全ての測定データに対して、イベント情報のイベントマーカを一意的に対応させて記憶するようにしたが、例えば、図４に示すようにイベントマーカＭとともに、イベントマーカＭが付加される近傍の測定データＤのみを記憶するようにしてもよい。この場合は、測定データの時間軸の情報も一緒に記憶する必要が有る。このようにすれば、データ記憶部５の記憶領域を有効に使用できるので、多くの結果を収集することができる。
また、図５に示すようにイベントマーカＭが設定される近傍の測定データＤを重ね書きして表示部６に表示させるようにしてもよい。このようにすれば、例えば各イベントマーカ間の比較など測定データの解析に有用な情報を得ることができる。
　よって、引用文献２には、次の技術が記載されている。
「測定波形のデジタルデータを保存し、表示するような波形測定装置であって、測定データの特徴を表わすイベント条件Ａが入力されたとすると、測定データＤの時間軸上に沿ってイベント条件に合致する測定データＤに対するイベントマーカＭが設定され、これら測定データＤとイベントマーカＭがコントロール部１を介して表示部６に所定の様式で表示され、同時に、データ記憶部５に記憶され、
　その後は、イベント情報（イベントマーカ）を指定するのみで、対応する測定データを速やかに検索することができ、イベントマーカＭが設定される近傍の測定データＤを重ね書きして表示部６に表示させるようにしてもよい、波形測定装置。」
（引用文献３）
　原査定の拒絶の理由に引用された、特開２００９−２３６７６５号公報（以下、「引用文献３」という。）には、次の事項が記載されている（下線は、当審で付与した。）。
「【発明の詳細な説明】
【技術分野】
【０００１】
  本発明は、ＤＤＲメモリで使用される双方向性バスの信号波形を
波形表示装置により表示する表示方法
バースト部分の任意の部分を選択してアイパターン等で表示できる波形表示方法
「【００３４】
  本発明では、上述のように特定された
複数のバースト部分について、任意のバースト部分を指定する方法
バースト任意指定が選択
選択された選択項目メニューに応じて、必要なフィールドが表示される。メモリ８２に記憶され
たバースト部分には、時間順に０、１、２・・・と番号が夫々付される。フレーム４０１内には、複数の箱が表示され、各箱が１つのバースト部分に対応している。
【００３５】
  
箱の指定は、例えば、マウス・カーソル４２２を用いて、任意の箱をクリックすることにより行われる。
箱の指定が完了し、表示ボタン４２４をクリックすると、指定されたバースト部分に関する波形が波形表示領域４２０に表示される。
アイパターンの例で
　よって、引用文献３には、次の技術が記載されている
「バースト部分の任意の部分を選択してアイパターン等で表示できる波形表示方法における、複数のバースト部分について、任意のバースト部分を指定する方法であって、バースト任意指定が選択されると、必要なフィールドが表示され、メモリ８２に記憶されたバースト部分には、時間順に０、１、２・・・と番号が夫々付され、フレーム４０１内には、複数の箱が表示され、各箱が１つのバースト部分に対応しており、箱の指定は、例えば、マウス・カーソル４２２を用いて、任意の箱をクリックすることにより行われ、箱の指定が完了し、表示ボタン４２４をクリックすると、指定されたバースト部分に関する波形が、例えばアイパターンで、波形表示領域４２０に表示される、方法。」
４　本件補正発明１との対比
　本件補正発明１と引用発明１とを対比する。
ア　引用発明１における「予め選択した異常（即ち、イベント）に応答」した「短い記録長の波形８０１、８０２、８０３、８０４」、つまり「ＲＥＣＯＲＤ　ＬＥＮＧＴＨ」が、本件補正発明１における「関心のある時間区間」に相当する。
イ　引用発明１において、「機能グループ６５５は、予めの取込み実時間イベント検索（Pre-Acquisition Real Time Event Search）を制御し、トリガ・イベント条件のリストを含むメニューを表示するメニュー（MENU）ボタンを含み、パラメータ制御（PARAM. CONTR.）摘みも含み」、「機能グループ６４０は、ポスト取込みイベント検索（Post Acquisition Event Search）を制御し、トリガ・イベント条件のリストを含むメニューを表示するメニュー・ボタン（MENU）を有し」ているから、引用発明１おけるこれらの「メニュー（MENU）ボタン」や「パラメータ制御（PARAM. CONTR.）摘み」が、本件補正発明１における、「トリガ基準を設定するユーザが操作可能なインタフェース」に相当する。
ウ　引用発明１における「被試験信号を受ける入力端子（CH1〜CH4）」が、本件補正発明１における「被測定信号を受ける入力端子」に相当する。
エ　引用発明１における「該入力端子に結合され上記被試験信号を受ける入力端を有し、上記被試験信号のデジタル・サンプルを出力端に発生するアナログ・デジタル変換器（５３１〜５３４）」が、本件補正発明１における「上記入力端子に結合され、上記被測定信号を受けて、上記被測定信号からデジタル・データを生成するアナログ・デジタル変換回路」に相当する。
オ　引用発明１において、「異常イベントに時間的に関連している」「所定量」は、「上記データ記録の全体よりも少な」いから、引用発明１における 「上記被試験信号の上記デジタル・サンプルを受ける入力端を有し、データ記録にて、上記デジタル・サンプルを蓄積する取込みメモリ」は、本件補正発明１における「上記被測定信号の上記デジタル・データを、上記関心のある時間区間より長い時間を有する連続するデータ・レコードとして記憶する取込みメモリ」に相当する。
カ　本願明細書の段落【００３５】には、「タイム・スタンプは、トリガ・イベント情報のアイテム（Item：項目）である。」、「このため、制御ユニット２００は、トリガ・イベントのタイム・スタンプを用いて、トリガ・リスト中のトリガ・イベント情報に基づき、トリガ・イベントに対応するデータを特定できる。」と記載されているから、引用発明１における「所定イベントの検出に応答して」提供される「メモリの対応記憶位置のタイム・スタンプ」、つまり「処理及び表示のために伝送すべきデータのフレームを定義するタイム・スタンプ」が、本件補正発明１における「トリガ・イベント情報アイテム」に相当する。
キ　引用発明１において、「処理回路（５６１〜５６４）」（プロセッサ・ユニット５６１、５６２、５６３、５６４）は、「実時間動作モードにて上記デジタル・サンプルを受け且つ試験し、上記デジタル・サンプル内の所定異常イベントの検出に応答してイベント検出信号を発生し」、「メモリの対応記憶位置のタイム・スタンプ」、つまり「処理及び表示のために伝送すべきデータのフレームを定義するタイム・スタンプ」を提供しているから、本件補正発明１における「上記トリガ基準に基いて上記被測定信号中の複数のトリガ・イベントを検出し、上記データ・レコード内に複数それぞれのトリガ・イベント情報アイテムを生成するトリガ・ユニット」とは、「上記トリガ基準に基いて上記被測定信号中の複数のトリガ・イベントを検出し、複数それぞれのトリガ・イベント情報アイテムを生成するトリガ・ユニット」の点で共通する。
ク　引用発明１において、「処理回路（５６１〜５６４）」（プロセッサ・ユニット５６１、５６２、５６３、５６４）は、「所定イベントに関するデータを含んだメモリ記憶位置の範囲を指示するメモリ・アドレス信号を発生し」、「メモリの対応記憶位置のタイム・スタンプ」、つまり「処理及び表示のために伝送すべきデータのフレームを定義するタイム・スタンプ」を提供しているから、本件補正発明１における「上記トリガ・リスト・メモリ中の上記トリガ・イベント情報アイテムに基いて、上記取込みメモリ中の上記デジタル・データを特定する制御ユニット」とは、「上記トリガ・イベント情報アイテムに基いて、上記取込みメモリ中の上記デジタル・データを特定する制御ユニット」の点で共通する。
ケ　引用発明１における「デジタル・オシロスコープの表示スクリーン８００」は、「４つの波形８０１、８０２、８０３、８０４又は４つよりも多い波形を表示するが、各波形は、本発明による装置により検出され、タイム・スタンプされた（時間情報が付された）異常を示して」いるから、、本件補正発明１における「上記トリガ・イベント情報アイテムの１つにそれぞれ対応し、連続する上記データ・レコードの一部分である上記関心のある時間区間内の上記被測定信号に関する波形を複数表示する表示デバイス」に相当する。
コ　引用発明１において、「デジタル・オシロスコープの表示スクリーン８００」と関連した、ＥＶＥＮＴ　ＲＥＣＯＲＤ　ＬＥＮＧＴＨ（８８５，９８５）摘み」は、「予め選択した異常（即ち、イベント）に応答」した「短い記録長の波形８０１、８０２、８０３、８０４」の記録長（ＲＥＣＯＲＤ　ＬＥＮＧＴＨ）を変更する摘みであることは明らかである（例えば、特開２００３−３２９７０９号公報の段落【００３３】に、「波形の各々が表示され、容易に利用できるように、その異常はスクリーンの中心となる（点線の垂直線９１５で示す）。上述の如く、各イベントはデータで囲まれ、そのサンプル数は、イベント記録長（EVENT RECORD LENGTH）摘み９８５の回転により決まる。」との記載を参照。）。
　よって、引用発明１における「ＥＶＥＮＴ　ＲＥＣＯＲＤ　ＬＥＮＧＴＨ（８８５，９８５）つまみ」と、本件補正発明１における「関心のある時間区間を設定」する「ユーザが操作可能なインタフェース」が有する「上記トリガ・イベントに関する上記関心のある時間区間の幅及び位置を調整する手段」とは、「関心のある時間区間を設定」する「ユーザが操作可能なインタフェース」が有する「上記トリガ・イベントに関する上記関心のある時間区間の幅を変更する手段」の点で共通する。
　なお、引用文献１には「機能グループ６３０は、表示（DISPLAY）を制御し、水平位置（HOR POS）、水平スケール（HOR SCALE）用の制御を含んでいる。」と記載されているが、ここでの水平位置（HOR POS）、水平スケール（HOR SCALE）用の制御は、表示（DISPLAY）の制御であって、「予め選択した異常（即ち、イベント）に応答」した「短い記録長」の幅や位置を変更するものではない。
サ　引用発明１において、「デジタル・オシロスコープの表示スクリーン８００」が、は「予め選択した異常（即ち、イベント）に応答」した「短い記録長の波形８０１、８０２、８０３、８０４」、「又は４つよりも多い波形を表示する」ことと、本件補正発明１における「上記表示デバイスが、上記バーを利用して選択された複数のトリガ・イベントに関連し、上記トリガ・リスト中の上記トリガ・イベント情報アイテムに対応する上記時間区間における複数の波形から得られる合成波形を更に表示すること」とは、「上記表示デバイスが、複数のトリガ・イベントに関連し、上記トリガ・イベント情報アイテムに対応する上記時間区間における複数の波形」を表示する点で共通する。
　以上より、本件補正発明１と引用発明１との一致点及び相違点は、次のとおりである。
（一致点）
「関心のある時間区間を設定し、トリガ基準を設定するユーザが操作可能なインタフェースと、
　被測定信号を受ける入力端子と、
　上記入力端子に結合され、上記被測定信号を受けて、上記被測定信号からデジタル・データを生成するアナログ・デジタル変換回路と
　上記被測定信号の上記デジタル・データを、上記関心のある時間区間より長い時間を有する連続するデータ・レコードとして記憶する取込みメモリと、
　上記トリガ基準に基いて上記被測定信号中の複数のトリガ・イベントを検出し、複数それぞれのトリガ・イベント情報アイテムを生成するトリガ・ユニットと、
　上記トリガ・イベント情報アイテムに基いて、上記取込みメモリ中の上記デジタル・データを特定する制御ユニットと、
　上記トリガ・イベント情報アイテムの１つにそれぞれ対応し、連続する上記データ・レコードの一部分である上記関心のある時間区間内の上記被測定信号に関する波形を複数表示する表示デバイスと
　を具え、
　上記インターフェースが上記トリガ・イベントに関する上記関心のある時間区間の幅を変更する手段を有し、
　上記表示デバイスが、複数のトリガ・イベントに関連し、上記トリガ・イベント情報アイテムに対応する上記時間区間における複数の波形を表示することを特徴とする波形表示装置。」
（相違点１）
　本件補正発明１では、トリガ・ユニットが、「上記データ・レコード内」に、複数それぞれのトリガ・イベント情報アイテムを生成しているのに対し、引用発明１では、処理回路（５６１〜５６４）（プロセッサ・ユニット５６１、５６２、５６３、５６４）が、所定イベントに関するデータを含んだメモリ記憶位置の範囲を指示するメモリ・アドレス信号を発生し、メモリの対応記憶位置のタイム・スタンプ、つまり、処理及び表示のために伝送すべきデータのフレームを定義するタイム・スタンプを提供しているものの、「取り込んだ長いデータ記録」内に、該タイム・スタンプを生成することは示されていない点。
（相違点２）
　本件補正発明１では「上記トリガ基準に基づいて上記複数のトリガ・イベント情報アイテムをトリガ・リストとして記憶するトリガ・リスト・メモリ」を具え、制御ユニットは、「上記トリガ・リスト・メモリ中」の上記トリガ・イベント情報アイテムに基いて、上記取込みメモリ中の上記デジタル・データを特定しているのに対し、引用発明１では、メモリの対応記憶位置のタイム・スタンプ、つまり、処理及び表示のために伝送すべきデータのフレームを定義するタイム・スタンプを「トリガ・リストとして記憶するトリガ・リスト・メモリ」は示されておらず、また、処理回路（５６１〜５６４）（プロセッサ・ユニット５６１、５６２、５６３、５６４）は、「メモリの対応記憶位置のタイム・スタンプ」、つまり「処理及び表示のために伝送すべきデータのフレームを定義するタイム・スタンプ」を、「トリガ・リストとして記憶するトリガ・リスト・メモリ」に基いて提供することも示されていない点。
（相違点３）
　本件補正発明１では、「関心のある時間区間を設定し、トリガ基準を設定するユーザが操作可能なインタフェース」について、「上記インターフェースが上記トリガ・イベントに関する上記関心のある時間区間の幅及び位置を調整する手段を有」するのに対し、引用発明１では、「デジタル・オシロスコープの表示スクリーン８００」と関連した、ＥＶＥＮＴ　ＲＥＣＯＲＤ　ＬＥＮＧＴＨ（８８５，９８５）摘み」を有し、該摘みは、予め選択した異常（即ち、イベント）に応答した「短い記録長の波形８０１、８０２、８０３、８０４」の「記録長（ＲＥＣＯＲＤ　ＬＥＮＧＴＨ）」（つまり、「幅」）を変更する摘みであることは明らかであるものの、「短い記録長の波形８０１、８０２、８０３、８０４」の「幅及び位置」を変更する手段は示されていない点。
（相違点４）
　本件補正発明１では、表示デバイスが、「上記取込みメモリ中の上記データ・レコードの全長に対応するバーを表示し、該バーが、上記トリガ・リスト中の上記トリガ・イベント情報アイテムに基いて、上記取込みメモリ中の上記データ・レコードの全長に対する上記トリガ・イベントの位置を更に表示すると共に」、「上記バーを利用して選択された複数のトリガ・イベントに関連し、上記トリガ・リスト中の上記トリガ・イベント情報アイテムに対応する上記時間区間における複数の波形から得られる合成波形を更に表示する」のに対し、引用発明１では、デジタル・オシロスコープの表示スクリーン８００が、「予め選択した異常（即ち、イベント）に応答」した「短い記録長の波形８０１、８０２、８０３、８０４」、「又は４つよりも多い波形を表示する」ことは示されているものの、本件補正発明１のような「バー」を表示し、上記バーを利用して複数のトリガ・イベントを選択することも、複数の波形から得られる合成波形を更に表示することも示されていない点。
５　本件補正発明１についての判断
ア　（相違点１）について
　生成されたタイムスタンプをデータとともに記録することは、周知の事項である。
　よって、引用発明１において、処理回路（５６１〜５６４）（プロセッサ・ユニット５６１、５６２、５６３、５６４）が提供（生成）する「メモリの対応記憶位置のタイム・スタンプ」、つまり「処理及び表示のために伝送すべきデータのフレームを定義するタイム・スタンプ」を、「取り込んだ長いデータ記録」とともに記録し、上記相違点１に係る本件補正発明１の構成とすることは、当業者が容易になし得たことである。
イ　（相違点２）について
　引用文献１には、 「機能グループ６４０」が「スクロール摘み（SCROLL）」を有し、「スクロール摘み（SCROLL）」は、「長い記録長の小休止中の波形をあるイベントから次のイベントに手動でスクロールするための」摘みであって、「スクロール摘み８７５を回転させることにより、長い記録のデータにて、その種類のイベントが生じれば、次のイベントの表示に波形がジャンプ」することが記載されている（引用文献１の段落【００２４】及び【００３４】参照。）。
　上記のような機能を実現するためには、「メモリの対応記憶位置のタイム・スタンプ」、つまり「処理及び表示のために伝送すべきデータのフレームを定義するタイム・スタンプ」を、順序付けて記憶しておく必要のあることは技術的に明らかである。
　そして、複数の情報を順序付けて記憶しておく手段として、順序付けられた複数の情報のリストをメモリに記憶しておくことは、周知の事項であるから、引用発明１において、「トリガ・リスト・メモリ」を具え、「メモリの対応記憶位置のタイム・スタンプ」つまり、「処理及び表示のために伝送すべきデータのフレームを定義するタイム・スタンプ」を、順序付けられたリストとして「トリガ・リスト・メモリ」に記憶し、処理回路（５６１〜５６４）（プロセッサ・ユニット５６１、５６２、５６３、５６４）が、「メモリの対応記憶位置のタイム・スタンプ」、つまり「処理及び表示のために伝送すべきデータのフレームを定義するタイム・スタンプ」を、「トリガ・リストとして記憶するトリガ・リスト・メモリ」に基いて提供するようにして、上記相違点２に係る本件補正発明１の構成とすることは、当業者が容易になし得たことである。
ウ　（相違点３） について
　引用文献２、引用文献３のいずれにも、「関心のある時間区間を設定し、トリガ基準を設定するユーザが操作可能なインタフェース」について、「上記インターフェースが上記トリガ・イベントに関する上記関心のある時間区間の幅及び位置を調整する手段」は示されていない。
　そして、本件補正発明１では、該「上記トリガ・イベントに関する上記関心のある時間区間の幅及び位置を調整する手段」を備えることにより、本件明細書の段落【００３０】に記載されているとおり、「ユーザは、ユーザの関心がある時間区間を定める」ことができるだけでなく、さらに、「スクリーン上のトリガ・マーカの位置が変化して、プリ・トリガとポスト・トリガ間の比率が変化し、トリガ・イベントに関するプリ・トリガ及びポスト・トリガ条件」を定めることができるという、顕著な作用効果を奏するものである。
　よって、引用発明１において、上記相違点３に係る本件補正発明１の構成とすることは、当業者が容易になし得たことではない。
エ　（相違点４）について
　引用文献２には、「測定データＤの時間軸上に沿ってイベント条件に合致する測定データＤに対するイベントマーカＭが設定され、これら測定データＤとイベントマーカＭがコントロール部１を介して表示部６に所定の様式で表示され」る技術が記載されているが、該表示は、「測定データＤの時間軸上に沿ってイベント条件に合致する測定データＤに対するイベントマーカＭが設定され」る場面でのみ行われる表示であって、その後の「イベントマーカＭが設定される近傍の測定データＤを重ね書きして表示部６に表示させる」場面において、イベントマーカＭが設定される近傍の測定データを「選択」するために表示されるものではない。
　また、引用文献３には、「バースト部分の任意の部分を選択してアイパターン等で表示できる波形表示方法における、複数のバースト部分について、任意のバースト部分を指定する方法」として「フレーム４０１内には、複数の箱が表示され、各箱が１つのバースト部分に対応しており、箱の指定は、例えば、マウス・カーソル４２２を用いて、任意の箱をクリックすることにより行われ」ているが、該「複数の箱」は、「複数のバースト部分」の全長に対する「任意のバースト部分」を「時間順に０、１、２・・・と番号」順に「箱」を並べて表示するにものに過ぎず、「複数のバースト部分」の全長に対応するバーを表示するものでも、「複数のバースト部分」の全長に対する「任意のバースト部分」の位置を更に表示するものでもない。
　よって、引用文献２、引用文献３には、上記相違点４に係る本件補正発明１の構成の断片が散見されるにすぎず、上記相違点４に係る本件補正発明１のように、「取込みメモリ中の上記データ・レコードの全長に対応するバーを表示」するとともに、該「バー」には、「上記取込みメモリ中の上記データ・レコードの全長に対する上記トリガ・イベントの位置」を表示し、ユーザがこのような「データ・レコードの全長」と「全長に対する上記トリガ・イベントの位置」を見ながら、「合成波形」として表示すべき「上記トリガ・リスト中の上記トリガ・イベント情報アイテムに対応する上記時間区間における複数の波形」を「選択」できるような工夫を凝らす点は、記載も示唆もされていない。
　よって、引用発明１において、上記相違点４に係る本件補正発明１の構成とすることは、当業者が容易になし得たことではない。
オ　したがって、本件補正発明１は、引用発明１及び、引用文献２、引用文献３に記載された技術に基づいて、当業者が容易に発明をすることができたとはいえない。
６　本件補正発明２についての判断
ア　上記「４　本件補正発明１との対比」における本件補正発明１と引用発明１との対比を踏まえれば、本件補正発明２と引用発明１との相違点は、次のとおりである。
（相違点５）
　本件補正発明２では「上記トリガ・イベント情報アイテムをトリガ・リスト・メモリ中にトリガ・リストとして記憶するステップ」を具え、「上記トリガ・リストに基いて」上記トリガ・イベントに対応する上記取込みメモリ中の上記デジタル・データを特定しているのに対し、引用発明１では、メモリの対応記憶位置のタイム・スタンプ、つまり、処理及び表示のために伝送すべきデータのフレームを定義するタイム・スタンプは提供されているものの、それを「トリガ・リスト・メモリ中にトリガ・リストとして記憶する」ことは示されておらず、また、処理回路（５６１〜５６４）（プロセッサ・ユニット５６１、５６２、５６３、５６４）は、「メモリの対応記憶位置のタイム・スタンプ」、つまり「処理及び表示のために伝送すべきデータのフレームを定義するタイム・スタンプ」を、「トリガ・リスト」に基いて提供することも示されていない点。
（相違点６）
　本件補正発明２では、「関心のある時間区間を設定すると共に、トリガ基準を設定するステップ」について、「ユーザの入力に応じて、上記トリガ・イベントに関する上記関心のある時間区間の幅及び位置を変更するステップ」を具えているのに対し、引用発明１では、「デジタル・オシロスコープの表示スクリーン８００」と関連した、ＥＶＥＮＴ　ＲＥＣＯＲＤ　ＬＥＮＧＴＨ（８８５，９８５）摘み」は、予め選択した異常（即ち、イベント）に応答した「短い記録長の波形８０１、８０２、８０３、８０４」の「記録長（ＲＥＣＯＲＤ　ＬＥＮＧＴＨ）」を変更する摘みであることは明らかであるものの、「短い記録長の波形８０１、８０２、８０３、８０４」の「位置」を変更する手段は示されていない点。
（相違点７）
　本件補正発明２では、表示デバイスが、「上記取込みメモリ中の上記データ・レコードの全長に対応するバーを表示し、該バーが、上記トリガ・リスト中の上記トリガ・イベント情報アイテムに基いて、上記取込みメモリ中の上記データ・レコードの全長に対する上記トリガ・イベントの位置を表示する」ステップを具え、「表示される上記波形が、上記バーを利用して選択された複数のトリガ・イベントに関連し、上記トリガ・リスト中の上記トリガ・イベント情報アイテムに対応する上記時間区間における複数の波形から得られる合成波形である」のに対し、引用発明１では、デジタル・オシロスコープの表示スクリーン８００が、「予め選択した異常（即ち、イベント）に応答」した「短い記録長の波形８０１、８０２、８０３、８０４」、「又は４つよりも多い波形を表示する」ことは示されているものの、本件補正発明２のような「バー」を表示し、上記バーを利用して複数のトリガ・イベントを選択することも、複数の波形から得られる合成波形を表示することも示されていない点。
イ　そこで上記（相違点５）ないし（相違点７）について検討すると、上記（相違点５）ないし（相違点７）は、表現上の差異を除けば、上記「４　本件補正発明１との対比」で認定した（相違点２）ないし（相違点４）と実質的に同じ相違点である。
　よって、上記「５　本件補正発明１についての判断」の「イ　（相違点２）について」、「ウ　（相違点３）について」及び「エ　（相違点４）について」にて述べたのと同様の理由により、引用発明１において、上記（相違点５）に係る本件補正発明２の構成とすることは、当業者が容易になし得たことであるが、上記（相違点６）ないし（相違点７）に係る本件補正発明２の構成とすることは、当業者が容易になし得たことではない。
ウ　したがって、本件補正発明２は、引用発明１及び、引用文献２、引用文献３に記載された技術に基づいて、当業者が容易に発明をすることができたとはいえない。
７　むすび
　以上のとおり、本件補正の補正事項１及び補正事項２は、特許法第１７条の２第６項において準用する同法第１２６条第７項の規定に適合する。
　よって、本件補正は、特許法第１７条の２第３項ないし第６項に適合する。
第３　本願発明
　本件補正は、上記のとおり特許法第１７条の２第３項ないし第６項の規定に適合するから、本願の請求項１ないし２に係る発明（本件補正発明１ないし本件補正発明２）は、本件補正により補正された特許請求の範囲の請求項１ないし２に記載された事項により特定されるとおりのものである。
　そして、本件補正発明１及び本件補正発明２は、上記第２の「５　本件補正発明１についての判断」及び「６　本件補正発明２についての判断」で述べたとおり、当業者が引用発明１及び、引用文献２、引用文献３に記載された技術に基づいて容易に発明をすることができたものではない。
　したがって、本願については、原査定の拒絶理由を検討しても、その理由によって拒絶すべきものとすることはできない。
　また、他に本願を拒絶すべき理由を発見しない。
　よって結論のとおり審決する。